(57)【要約】【課題】ころを有効に保持するとともに、ころの数を最大限にすることでスラスト円筒ころ軸受の負荷容量をより大きくすることを目的とする。【解決手段】本発明は、複数のころを保持するスラスト円筒ころ軸受用保持器において、前記保持器は、外側環状部と、該外側環状部から径方向内向きに突出し周方向上等間隔に設けられ、外側環状部と一体となっている複数の柱部と、外側環状部と隣接する柱部によりころを収納するポケットと、各ころの端面と対向する位置に複数の開口部を有する内側環状部とを備え、ポケットの面はころに摺接する円筒面であり、ころは、内側環状部と対向する側の端面に凸部を有し、該凸部が内側環状部に設けられた開口部と嵌め合うことで、内側環状部に固定されていることを特徴とするスラスト円筒ころ軸受用保持器及びこの保持器を採用するスラスト円筒ころ軸受を提供する。【選択図】図１
2015190591.tif 000002
【特許請求の範囲】
【請求項１】
複数のころを保持するスラスト円筒ころ軸受用保持器において、
前記保持器は、外側環状部と、該外側環状部から径方向内向きに突出し周方向上等間隔に設けられ、前記外側環状部と一体となっている複数の柱部と、前記外側環状部と隣接する柱部によりころを収納するポケットと、各ころの端面と対向する位置に複数の開口部を有する内側環状部とを備え、
前記ポケットの面は前記ころに摺接する円筒面であり、
前記ころは、前記内側環状部と対向する側の端面に凸部を有し、該凸部が前記内側環状部に設けられた開口部と嵌め合うことで、前記内側環状部に固定されていることを特徴とするスラスト円筒ころ軸受用保持器。
【請求項２】
前記ころの凸部は前記内側環状部と固定可能となるよう、前記内側環状部の開口部の幅は前記凸部の直径より小さく設定されていることを特徴とする請求項２に記載のスラスト円筒ころ軸受用保持器。
【請求項３】
複数のころを保持するスラスト円筒ころ軸受用保持器において、
前記保持器は、外側環状部と、該外側環状部から径方向内向きに突出し周方向上等間隔で設けられ前記外側環状部と一体となっている複数の柱部と、前記外側環状部と隣接する柱部によりころを収納するポケットと、各ころと対向する位置に複数の孔を有する内側環状部とを備え、
前記ころは、前記内側環状部と対向する側の端面に凸部を有し、該凸部が前記内側環状部に設けられた孔と嵌め合うことで、前記内側環状部に固定されていることを特徴とするスラスト円筒ころ軸受用保持器。
【請求項４】
前記ポケットの面は前記ころに摺接する平面であることを特徴とする請求項３に記載のスラスト円筒ころ軸受用保持器。
【請求項５】
第１軌道輪と、第２軌道輪と、第１軌道輪と前記第２軌道輪との間に転動自在に配置された複数のころと、複数のころを保持する保持器と、を備えたスラスト円筒ころ軸受であって、保持器は請求項１〜４のいずれか１項に記載の円筒ころ軸受用保持器を採用することを特徴とする円筒ころ軸受。
【発明の詳細な説明】
【技術分野】
【０００１】
本発明はスラストころ軸受に関し、特に、スラスト円筒ころ軸受に関する。
【背景技術】
【０００２】
従来、スラスト円筒ころ軸受としては、例えば特許文献１に記載されているものがある。すなわち、軸方向に対向して設けられた一対の軌道輪と、該軌道輪の間に転動自在に配置された円柱形の複数のころと、前記軌道輪の間に配置されて前記ころを保持する複数のポケットが形成された円環状の保持器とを備えたスラスト円筒ころ軸受である。
【０００３】
また、特許文献２には、ポケットの内径面が開放した形状の保持器も開示されている。この場合、ころが内径側へ脱落しないよう、保持器ポケットの柱部の内径側端部に抜け止め部を形成している。しかし、特許文献３の図例のように、ころの数を増やしていくと隣接するころの間隔が狭くなり、それにともなって保持器ポケットの柱部の内径側も狭くなるため、上記抜け止め部を形成することが難しくなる。あるいは、形成しても強度の低いものとなってしまうおそれがある。つまり、軸受の負荷容量が小さくなってしまうことが考えられる。
【先行技術文献】
【特許文献】
【０００４】
【特許文献１】特開２００３−３３６６４５号公報
【特許文献２】特開２０１１−２３１８７６号公報
【特許文献３】特開２０１３−１４５０１２号公報
【発明の概要】
【発明が解決しようとする課題】
【０００５】
上記課題を鑑み、本発明は、保持器がころを有効に保持するとともに、保持するころの数を最大限にすることで、スラスト円筒ころ軸受の負荷容量をより大きくすることを目的とする。
【課題を解決するための手段】
【０００６】
上記目的を達成するため、本発明におけるスラスト円筒ころ軸受は下記の構成とする。
第１の発明は、複数のころを保持するスラスト円筒ころ軸受用保持器において、保持器は、外側環状部と、該外側環状部から径方向内向きに突出し周方向上等間隔に設けられ、外側環状部と一体となっている複数の柱部と、外側環状部と隣接する柱部によりころを収納するポケットと、各ころの端面と対向する位置に複数の開口部を有する内側環状部とを備え、ポケットの面はころに摺接する円筒面であり、ころは、内側環状部と対向する側の端面に凸部を有し、該凸部が前記内側環状部に設けられた開口部と嵌め合うことで、内側環状部に固定されていることを特徴とするスラスト円筒ころ軸受用保持器を提供している。
【０００７】
第１の発明に係るスラスト円筒ころ軸受用保持器は、保持器ポケット面の形状がころの外周面に摺接する円筒形状となっていることから、軸方向へのころ脱落を防ぐことができる。また、ころは、内側環状部と嵌合しているため、径方向への脱落も防ぐことが可能である。これにより、保持器柱部を細く設定できるので、保持するころの数を最大限に増やすことができ、軸受の負荷容量を大きくすることができる。
【０００８】
さらに、ころの凸部は内側環状部と固定可能となるよう、内側環状部の開口部の幅はころ凸部の直径より小さく設定されていることを特徴としても良い。内側環状部の開口部幅をころ端面の凸部径より小さく設定することで、ころ端部の凸部が内側環状部から抜けにくくなり、ころの脱落をより確実に防止できる。
【０００９】
第２の発明は、複数のころを保持するスラスト円筒ころ軸受用保持器において、保持器は、外側環状部と、該外側環状部から径方向内向きに突出し周方向上等間隔で設けられ外側環状部と一体となっている複数の柱部と、前記外側環状部と隣接する柱部によりころを収納するポケットと、各ころと対向する位置に複数の孔を有する内側環状部とを備え、ころは、内側環状部と対向する側の端面に凸部を有し、該凸部が内側環状部に設けられた孔と嵌め合うことで、内側環状部に固定されていることを特徴とするスラスト円筒ころ軸受用保持器を提供している。
【００１０】
第２の発明に係るスラスト円筒ころ軸受用保持器は、保持器ポケットの面はころに摺接する平面である形態にしてよい。ポケット面を平面にすることで、ころを軸方向又は径方向から装入することができる。
【００１１】
また、装入したころは内側環状部によって保持されるため、径方向への脱落を防ぐことが可能である。これにより、保持器は保持器柱部を細く設定できるので、ころの数を最大限に増やすことができる。したがって、軸受の負荷容量を大きくすることができる。
【００１２】
更に、第３の発明は、第１軌道輪と、第２軌道輪と、第１軌道輪と前記第２軌道輪との間に転動自在に配置された複数のころと、複数のころを保持する保持器と、を備えたスラスト円筒ころ軸受であって、保持器は第１又は第２の発明に係る円筒ころ軸受用保持器を採用することを特徴とする円筒ころ軸受を提供している。
【００１３】
第３の発明に係る円筒ころ軸受は、上述の保持器を採用することで、軸受の負荷容量をより大きくすることが可能となる。
【発明の効果】
【００１４】
本発明の第１と第２の発明に係るスラスト円筒ころ軸受用保持器は、外側環状部と内側環状部とを有する分割型保持器にすることで、保持器の柱部を細く設計することができ、これにより、保持するころの数を最大限に増やすことを実現し、軸受の負荷容量を大きくすることができる。
【図面の簡単な説明】
【００１５】
【図１】スラスト円筒ころ軸受の断面図である。
【図２】本発明の実施形態１に係る保持器ところを組み合わせた状態を示す図である。
【図３】図２の斜視図である。
【図４】図３の部分断面図である。
【図５】本発明の実施形態２に係る保持器ところを組み合わせた状態を示す図である。
【図６】図５の斜視図である。
【図７】図６の部分断面図である。
【発明を実施するための形態】
【００１６】
＜第一の実施形態＞
以下、図１〜７を参照しながら、本発明の実施形態としてスラスト円筒ころ軸受について説明する。スラスト円筒ころ軸受は、図１に示すように、第１軌道輪１と、第２軌道輪２と、第１軌道輪１と前記第２軌道輪２との間に転動自在に配置された複数のころ３と、複数のころを保持する保持器４と、を備えている。
【００１７】
図２は本発明の実施形態１に係るスラスト円筒ころ軸受の保持器４を組み合わせた状態を示す図である。また、図３は図２の斜視図であり、図４は図３の部分断面図である。保持器４は、外側環状部４１と、外側環状部４１から径方向内向きに突出し周方向上等間隔で設けられ外側環状部４１と一体となっている複数の柱部４２と、外側環状部４１と隣接する柱部４２とによりころ３を収納するポケット４３と、内側環状部４４とを有している。柱部４２の側面、すなわちポケット４４面には、ころ３の外周面に対応する円筒面が形成されている。柱部４２は径方向内側に向かって徐徐に細くなっており、ポケット４３にはころ３が配置されている。また、内側環状部４４に対向するころ３の端面には円形状の凸部３１が設けられている。
【００１８】
また、円環状の内側環状部４４において、ころ３の凸部３１に対向する位置に等間隔で複数の開口部４４１が設けられている。ポケット面はころ３と摺接する円筒面なので、ころをポケットへ装入できるのは径方向のみとなっている。ころ３をポケットに装入した後、ころ３の凸部３１に対し内側環状部４４を軸方向から圧入することで、ころ３の径方向への脱落を防止する。また、開口部４４１の幅はころ３の凸部３１の直径より小さく設定している。これにより、ころ３の凸部３１から内側環状部４４が抜けにくくなり、ころ３の脱落をより確実に防止できる。
【００１９】
＜第二の実施形態＞
次に、第二の実施形態について説明し、第一の実施形態と重複の部分について説明を省略する。図５は本発明の実施形態２に係るスラスト円筒ころ軸受の、保持器ところを組み合わせた状態を示す図である。また、図６は図５の斜視図であり、図７は図６の部分断面図である。前記保持器４は、外側環状部４１と外側環状部４１から径方向内向きに突出し周方向上等間隔で設けられ外側環状部４１と一体となっている複数の柱部４２と、外側環状部４１と隣接する柱部４２とによりころ３を収納するポケット４３と、内側環状部４４とを有している。柱部４２の側面、すなわちポケット４３面は、平面形状となっている。柱部４２は径方向内側に向かって徐徐に細くなっている。また、ポケット４３に配置されるころ３は、内側環状部４４に対向する側の端面に円形状の凸部３１を有している。
【００２０】
また、円環状の内側環状部４４には、ころ３の凸部３１に対応する複数の孔４４２が設けられている。孔４４２と凸部３１を嵌め合わせることで、ころを保持器に固定する。すなわち、内側環状部４４の孔４４２にころ３の凸部３１を嵌め合わせた後、図示しない第１軌道輪と第２軌道輪、及び保持器４を軸方向から組立てる。保持器４のポケット４３面が平面である為、軸方向又は径方向から装入可能である。
【００２１】
本実施形態の保持器は外側環状部と内側環状部を備える分割型となっているため、ころが脱落することなく軸受を組み立てることができる。なお、軸受の回転中のころは遠心力により常に径方向へ外側環状部４１に押し付けられているため、内側環状部４４は大きな力を受けることはなく、薄板プレス加工品程度の強度があれば十分である。
【００２２】
なお、本発明のスラスト軸受は、ころ３の凸部３１形状が円形に限定されない。また、内側環状部４４は円環状でなくても良く、切れ込みの入った略円環状でも良い。この場合、内側環状部４１を弾性変形可能な材質で作製すれば、寸法の異なる軸受にも互換性を持たせることができる。また、円弧状の内側環状部４４を複数枚組み合わせて使用しても良い。
【符号の説明】
【００２３】
３    ころ
３１  凸部
４    保持器
４１  外側環状部
４２  柱部
４３  ポケット
４４  内側環状部
４４１  開口部
４４２  孔
【図１】
2015190591.tif 000003
【図２】
2015190591.tif 000004
【図３】
2015190591.tif 000005
【図４】
2015190591.tif 000006
【図５】
2015190591.tif 000007
【図６】
2015190591.tif 000008
【図７】
2015190591.tif 000009